(57)【要約】【課題】背フレームにメッシュ状の背受けシート材が細長い縁部材を介して取付けられている背もたれにおいて、縁部材の取付けを容易化する。【解決手段】縦長縁部材２８は、背フレーム１５のサイドメンバー１７の内周板１７ｂに重なる帯板２８ａと、帯板２８ａに突設した多数の係合突起２８ｂとで構成されている。係合突起２８ｂは、ボス２８ｄの先端に頭部（爪部）２８ｃを設けた茸形になっている。ボス２８ｄは、サイドメンバー１７の内周板１７ｂに形成した切り開き部３０に嵌合する。縁部材２８の取付けに際して背受けシート材１６を押し退ける必要はなく、また、係合片２９ｂは１つずつ背フレーム１５に連結できる。従って、縦長縁部材２８の取付けを、簡単にかつ正確に行える。【選択図】図６
2020058763.tif 000002
【特許請求の範囲】
【請求項１】
前後に開口した背フレームと、前記背フレームに手前から重なるように配置された縁部が前記背フレームの外周から内周部に向けて巻き込まれたメッシュ状の背受けシート材と、前記背受けシート材の端縁に固定されて前記背フレームの内周部に取付けられた細長い縁部材とを有している構成であって、
前記縁部材は、前記背フレームの内周面に重なる帯板と、前記帯板から前記背フレームの内部に向けて突出した係合突起の群とで構成されており、前記係合突起は、ボスの先端に頭部を有する鉤状又は茸状の形態である一方、前記背フレームには、前記係合突起のボスが入り込んで係合する切り開き部が、後ろ向きに開口するように形成されている、
椅子の背もたれ。
【請求項２】
前記背受けシート材は、前記帯板のうち背フレームと重なっていない内側面に固定されており、かつ、背受けシート材の端縁を、前記帯板のうち背フレームと重なっている面まで巻き込むことにより、前記縁部材が前記背受けシート材によって視認できない状態に覆われている、
請求項１に記載した椅子の背もたれ。
【請求項３】
前記背受けシート材のうち左右側部には上下長手の縦長縁部材が固定されて、上部と下部には左右長手の横長縁部材が固定されており、
前記縦長縁部材は請求項１又は２の構成になっている一方、
前記横長縁部材は、前記背フレームの内周面に重なる帯板と、前記帯板から上下方向の外側に突出した板状の係合片の群とで構成されており、前記係合片に係合穴が形成されて、前記背フレームにおける左右長手のアッパメンバーとロアメンバーとには、前記係合片が入り込む嵌合穴と、前記係合片の係合穴に嵌まる係合突起とが形成されている、
請求項１又は２に記載した椅子の背もたれ。
【発明の詳細な説明】
【技術分野】
【０００１】
本願発明は、椅子の背もたれに関する。より詳しくは、メッシュタイプの背もたれに関するものである。
【背景技術】
【０００２】
椅子の背もたれとして、前後に開口した背フレームにメッシュ材を張った構造のものがあり、通気性や美観に優れていることから、広く普及している。このメッシュタイプの背もたれにおいては、メッシュ材は背フレームにピンと張られている必要がある。そして、メッシュ材は、編地や織地などの可撓性を有する布帛又はその類似物で構成されているため、メッシュ材の縁部を背フレームに直接に強固に固定することは難しい。
【０００３】
そこで、メッシュ材の縁部を細長い樹脂製縁部材に逢着等の手段で固定して、縁部材を背フレームに取り付けることが提案されている。その例として特許文献１には、縁部材を、鉤状部を有する断面コ字形に形成する一方、縁部材のうち内周寄りの部位の前面に、縁部材の鉤状部が嵌まる溝を形成することが開示されている。
【０００４】
なお、特許文献１では、正確には、背もたれの上部と下部とに配置した縁部材が上記のとおり鉤状部を有する形態になっていて背フレームに連結されて、背もたれの左右側部では、縁部材は帯板状に形成されており、帯板状の縁部材は、縁部材の外周面に形成された溝に嵌め込まれている。
【先行技術文献】
【特許文献】
【０００５】
【特許文献１】特表２００６−１１０００１号公報
【発明の概要】
【発明が解決しようとする課題】
【０００６】
断面コ字形の縁部材を使用している特許文献１では、２つの問題点により、取付けが面倒であると解される。第１の問題点は、溝が縁部材の前面に形成されているため、縁部材は、メッシュ材を押し退けて鉤状部を溝に嵌め込まねばならず、鉤状部を溝に嵌め込む作業が面倒であるということである。メッシュ材は出来るだけピンと張るのが好ましいが、メッシュ材の張りを強くするほど、この面倒さは強く現れることになる。
【０００７】
第２の問題点は、縁部材はその全長に亙ってコ字形に形成されているため、鉤状部を溝に嵌め込むこと自体が面倒であるということである。更に述べると、縁部材が全長に亙って同じ断面形状になっていると、鉤状部の全長が溝に嵌まるように位置決めして押し込まれねばならないが、縁部材は数十センチあって位置決めが面倒であり、しかも、縁部材がメッシュ材で隠れていて鉤状部を溝に対して位置合わせすることが面倒であるため、鉤状部を溝に嵌め込むことは厄介な作業になると思料される。
【０００８】
また、取付けの面倒さとは別に、特許文献１では、背フレームの下部に取り付けた縁部材は上方に露出しているため、美観が悪化することも懸念される。
【０００９】
本願発明は、このような現状を改善すべく成されたものである。
【課題を解決するための手段】
【００１０】
本願発明の背もたれは、
「前後に開口した背フレームと、前記背フレームに手前から重なるように配置された縁部が前記背フレームの外周から内周部に向けて巻き込まれたメッシュ状の背受けシート材と、前記背受けシート材の端縁に固定されて前記背フレームの内周部に取付けられた細長い縁部材とを有している」
という基本構成になっている。
【００１１】
そして、請求項１の発明は、上記基本構成において、
「前記縁部材は、前記背フレームの内周面に重なる帯板と、前記帯板から前記背フレームの内部に向けて突出した係合突起の群とで構成されており、前記係合突起は、ボスの先端に頭部を有する鉤状又は茸状の形態である一方、前記背フレームには、前記係合突起のボスが入り込んで係合する切り開き部が、後ろ向きに開口するように形成されている」
という構成になっている。
【００１２】
請求項２の発明は、請求項１において、
「前記背受けシート材は、前記帯板のうち背フレームと重なっていない内側面に固定されており、かつ、背受けシート材の端縁を、前記帯板のうち背フレームと重なっている面まで巻き込むことにより、前記縁部材が前記背受けシート材によって視認できない状態に覆われている」
という構成になっている。
【００１３】
請求項３の発明は、請求項１又は２において、
「前記背受けシート材のうち左右側部には上下長手の縦長縁部材が固定されて、上部と下部には左右長手の横長縁部材が固定されており、
前記縦長縁部材は請求項１又は２の構成になっている一方、
前記横長縁部材は、前記背フレームの内周面に重なる帯板と、前記帯板から上下方向の外側に突出した板状の係合片の群とで構成されており、前記係合片に係合穴が形成されて、前記背フレームにおける左右長手のアッパメンバーとロアメンバーとには、前記係合片が入り込む嵌合穴と、前記係合片の係合穴に嵌まる係合突起とが形成されている」
という構成になっている。
【発明の効果】
【００１４】
本願発明では、縁部材の係合突起は背フレームの内周面に重なる帯板に設けているため、背受けシート材を背フレームに取り付けるに当たって、背受けシート材を押し退ける必要はない。また、係合突起は帯板の長手方向に断続的に並んでいるため、背フレームの切り開き部に１つずつ嵌め込むことも可能である。これらのことが相まって、背受けシート材の取付けの作業性を向上できる。
【００１５】
請求項２の構成では、縁部材はその全体が背受けシート材で覆われていて外部から視認できないため、美観を向上できる。
【００１６】
背もたれは、正面視で大まかには四角形になっているため、上下左右の４辺部に縁部材を固定することが普通であり、この場合、各辺の箇所の縁部材を同じ構造に揃えることも可能であるが、背フレームは、左右のサイドメンバーとアッパメンバーとロアメンバーとは構造が相違することがあるため、４辺の縁部材の構造を同じ構造に揃え難い場合がある。また、取付けの容易性の点からも、左右の縁部材の構造と上下の縁部材の構造とを異ならせることが合理的な場合もある。
【００１７】
この点、請求項３の構成では、縁部材のアッパメンバー及びロアメンバーの箇所では、係合片と係合爪との組み合わせを採用して、横長縁部材をアッパメンバー及びロアメンバーに対して強固に連結できる一方、サイドメンバーの箇所では、係合突起と切り開き部との組み合わせを採用して、サイドメンバーに対して容易に係合できる。従って、先に横長縁部材をアッパメンバー及びロアメンバーに連結してから、縦長縁部材をサイドメンバーに連結するという手順を採ることにより、背受けシート材を背フレームに対して容易に取り付けることができる。
【００１８】
また、背フレームのサイドメンバーの箇所では、上下に並んだ係合突起が切り開き部に嵌合しているため、縦長縁部材の上下位置は正確に規定される。従って、着座した人の押圧力によって縦長縁部材が上下方向にずれることはなくて、背受けシート材を正確に位置決めできる。
【図面の簡単な説明】
【００１９】
【図１】実施形態に係る椅子を示す図で、（Ａ）は前方斜視図、（Ｂ）は側面図、（Ｃ）は平面図である。
【図２】（Ａ）は正面図、（Ｂ）は背面図である。
【図３】前方分離斜視図である。
【図４】（Ａ）は後方分離斜視図、（Ｂ）はアッパサポートの端部の斜視図、（Ｃ）はロアサポートの端部の斜視図である。
【図５】（Ａ）は背受けシート材を省略した状態での背もたれの後方斜視図、（Ｂ）は背受けシート材を省略した状態での背もたれの後方分離斜視図、（Ｃ）は縁部材の部分的な正面図、（Ｄ）は特に縦長縁部材の部分的な斜視図である。
【図６】（Ａ）は上端部のうち左右中間部の縦断側面図で図５（Ａ）のVIA-VIA 視断面図、（Ｂ）は図５（Ａ）のVIB-VIB 視断面図、（Ｃ）は下端部のうち左右中間部の縦断側面図である。
【図７】（Ａ）（Ｂ）とも変形例を示す縦断側面図である。
【発明を実施するための形態】
【００２０】
次に、本願発明の実施形態を図面に基づいて説明する。以下では、方向を特定するため前後・左右の文言を使用するが、これの方向は、普通に着座した人から見た状態として特定している。正面視方向は、着座者と対向した方向である。
【００２１】
(1).椅子の概要
本実施形態の椅子は、オフィス等で多用されている回転椅子に適用している。図１，２に示すように、椅子は、主要部材として、座１と背もたれ２、背もたれ２が取り付けられたバックフレーム３、及びキャスタ付き脚装置４を備えている。背もたれ２の後ろにはランバーサポート装置５を配置している。また、椅子には、オプション品として肘掛け装置６とヘッドレスト（或いはショルダーレスト）７とを備えている。
【００２２】
例えば図１のとおり、中央部に配置した脚支柱（ガスシリンダ）８にベース体９を固定し、ベース体９に、バックフレーム３がジョイント部材１０を介して後傾動自在に連結されている。従って、本実施形態の椅子は、背もたれ２が弾性手段に抗して後傾動するロッキングタイプである。
【００２３】
バックフレーム３は、左右中間部に位置した上下長手の背支柱１１と、その上端に水平旋回可能に取付けた左右長手のアッパサポート１２と、背支柱１１の下端に一体に設けた左右のロアサポート１３とを有しており、アッパサポート１２の左右両端とロアサポート１３の先端とは自由端になっている。背支柱１１及びアッパサポート１２は、合成樹脂製である。なお、背支柱１１とロアサポート１３とは、後ろからカバーで覆われている。
【００２４】
着座した人の押圧力か背もたれ２の右側部又は左側部に偏って作用すると、アッパサポート１２が水平旋回して、背もたれ２を捩じれ変形させることができる。従って、使用者の身体の動きに追従して、背もたれ２が捩じれ変形する。背支柱１１も、着座した人の押圧力によって捩じれ変形させることが可能である。
【００２５】
図１（Ｃ）のとおり、アッパサポート１２は手前に向けて凹むように（後ろに向けて膨らむように）、平面視で弓なりに反った形態になっており、その左右両端部に、背もたれ２の左右両端部が連結されている。従って、アッパサポート１２と背もたれ２との間には大きな空間が空いている。この空間の存在により、背もたれ２の上端部が着座者の押圧力（体圧）によって後ろ向きに伸び変形することが許容されている。
【００２６】
他方、例えば図４に明示するように、ロアサポート１３は、背面視において上面と下面とが先端に向けて高くなるように湾曲しており、かつ、左右ロアサポート１３の下面と背支柱１１の下面とで形成される下面（すなわち，バックフレーム３の下面）も、下向きに膨れた湾曲面になっている。従って、バックフレーム３は、全体として錨に似た形態になっている。
【００２７】
背もたれ２は、前後に開口した背フレーム１５にメッシュ状の背受けシート材１６を張った構造になっており、背受けシート材１６は、背フレーム１５の外周から後ろに巻き込まれている。背フレーム１５は合成樹脂製であり、上下に長い左右のサイドメンバー１７と、サイドメンバー１７の上端に一体に繋がった水平状のアッパメンバー１８と、サイドメンバー１７の下端に一端に繋がった水平状のロアメンバー１９とで構成されており、例えば、椅子に組み付けていない単体の状態で、人が容易に捩じり変形させ得る強度になっている。
【００２８】
(2).バックフレームと背もたれとの連結構造
図４（Ａ）や図５（Ａ）（Ｂ）に示すように、背もたれ２を構成するアッパメンバー１８の左右両端には、下向き鉤状の係止爪２０が後ろ向きに突設されている一方、バックフレーム３におけるアッパサポート１２の左右両端には、係止爪２０が上から嵌まり込む係合枠部２１を形成している。
【００２９】
また、図４（Ａ）の示すように、背もたれ２を構成するロアメンバー１９の左右両端部に、四角錐の頭部分を切断した態様（四周各面が四角形の台錘形）のテーパ状角形突起２２を後ろ向きに突設している一方、図４（Ｃ）に示すように、ロアサポート１３の先端部には、テーパ状角形突起２２が入り込むテーパ状角形凹所２３を形成し、テーパ状角形凹所２３に後ろから挿通したビス（図示せず）によって、テーパ状角形突起２２をテーパ状角形凹所２３に引き込んでいる。
【００３０】
ビスは、ロアサポート１３に後ろから挿通しており、図４（Ａ）に示すように、背もたれ２のテーパ状角形突起２２には前向きの角形ポケット穴２４を形成して、ポケット穴２４に、図４（Ｃ）に示すナット２５を回転不能に嵌め入れている。
【００３１】
既述のとおり、アッパサポート１２と背もたれ２との間には空間が空いているが、ロアサポート１３との背もたれ２との間にも、空間が空いている。また、背もたれ２の左右側部の後ろは開放されている。従って、背もたれ２は、着座者の押圧力によって後ろ向きに凹むように容易に弾性変形し得る。これにより、高いフィット性を確保することができる。
【００３２】
(3).背フレーム・縦長縁部材
図５に明示するように、背フレーム１５を構成する各メンバー１７，１８，１９は、前面板１７ａ，１８ａ，１９ａと内周板１７ｂ，１８ｂ，１９ｂとを有して基本的には、Ｌ型又はこれに近い断面形状になっており、後面には、、前面板１７ａ，１８ａ，１９ａから後ろ向きに突出した第１リブ２６と、各メンバー１７，１８，１９を横切る姿勢の第２リブ２７の群とが形成されている。各前面板１７ａ，１８ａ，１９ａの外周部は、背受けシート材１６への応力集中を防止するため、丸みを帯びた形状になっている。
【００３３】
サイドメンバー１７の前面板１７ａは、後ろに行くに従って内周側にずれるように傾斜しているが、アッパメンバー１８とロアメンバー１９との前面板１８ａ、１９ａは、ほぼ水平姿勢になっている。従って、アッパメンバー１８とロアメンバー１９とは、前面板１８ａ，１９ａと内周板１７ｂ，１８ｂ，１９ｃとがＬ型に繋がっている。
【００３４】
図３に示すように、背受けシート材１６は、左右の縦長縁部材２８と、上下の横長縁部材２９とを介して背フレーム１５に取付けられている。縦長縁部材２８及び横長縁部材２９は、ポリプロピレン等の樹脂を使用した成型品である。背受けシート材１６は、編地又は織地であるが、積層品も採用可能である。
【００３５】
図５，６に示すように、縦長縁部材２８と横長縁部材２９とは、背フレーム１５の内周板１７ｂ，１８ｂ，１９ｂに重なる帯板２８ａ，２９ａを有しており、縦長縁部材２８の帯板２８ａに、背フレーム１５の内周板１７ｂに向けて（背フレーム１５の外側に向けて）突出した係合突起２８ｂが、上下方向に適宜間隔で並んで多数形成されている。同様に、横長縁部材２９の帯板２９ａには、背フレーム１５の内周板１８ｂ，１９ｂに向けて（背フレーム１５の外側に向けて）突出した係合片２９ｂが、左右方向に適宜間隔で並んで多数形成されている。
【００３６】
縦長縁部材２８の係合突起２８ｂは、ボス２８ｄの先端にフランジ状の頭部（爪部）２８ｃを有する茸状又は鉤状に形成されている一方、背フレーム１５におけるサイドメンバー１７の内周板１７ｂには、係合突起２８ｂのボス２８ｄが嵌合する切り開き部３０が、背フレーム１５の内周方向に向けて開口するように形成している。係合突起２８ｂの頭部２８ｃの前方と上下両側とに張り出しており、切り開き部３０は、係合突起２８ｂのボス２８ｄのみが入り込む溝幅になっている。従って、係合突起２８ｂの頭部２８ｃが切り開き部３０の全周に引っ掛かるようになっている。
【００３７】
図５（Ａ）（Ｂ）に示すように、切り開き部３０及び係合突起２８ｂは、サイドメンバー１７における上下に隣り合った第２リブ２７の間に位置している。
【００３８】
図６（Ａ）に明示するように、縦長縁部材２８の係合突起２８ｂは、帯板２８ａの後半部に形成されている。そして、背受けシート材１６の端縁１６ａは縦長縁部材２８の帯板２８ａに内周面に縫着等で固定されているが、縦長縁部材２８の帯板２８ａのうち係合突起２８ｂよりも前の部位に、サイドメンバー１７の内周板１７ｂとの間に隙間が空くように薄肉化された前縁部２８ｅを形成して、背受けシート材１６の端縁１６ｂを延長させて、端縁延長部１６ｂを前縁部２８ｅの外側面に巻き込んでいる。背受けシート材１６の端縁延長部１６ｂは前縁部２８ｅに接着してもよいし、縫着等で固定してもよい。
【００３９】
背受けシート材１６の端縁延長部１６ｂが帯板２８ａの前縁部２８ｅに巻き込まれているため、縦長縁部材２８はその全体が背受けシート材１６で覆われており、人が視認することはできない。従って、美観に優れている。
【００４０】
(4).横長縁部材
横長縁部材２９の係合片２９ｂは、前後の広幅面を有する板状に形成されており、背フレーム１５のアッパメンバー１８及びロアメンバー１９の内周板１８ｂ，１９ｂには、横長縁部材２９の係合片２９ｂが貫通する嵌合穴３１が形成されている。更に、横長縁部材２９の係合片２９ｂに角形の係合穴３２を形成している一方、アッパメンバー１８及びロアメンバー１９の前面板１８ａ，１９ａに、係合穴３２と噛み合う係合爪３３を形成している。係合穴３２と係合爪３３とは、弾性に抗して噛み合う係合手段（或いは係合部）を構成している。
【００４１】
背フレーム１５は、図６の状態で前後方向に相対動する金型を使用した射出形成によって製造されている。そこで、型抜きを容易化するため、嵌合穴３１は前面板１８ａ，１９ａまで開口している（前面板１８ａ，１９ａに入り込む突起部を有する金型を使用して、嵌合穴３１を容易に成型できる。）。アッパメンバー１８及びロアメンバー１９の前面板１８ａ，１９ａに係合穴３２を形成して、係合片２９ｂに係合爪３３を形成することも可能であるが、この場合も、係合穴３２は容易に型抜きできる状態で成型できる。
【００４２】
横長縁部材２９においても、背受けシート材１６の横長端縁１６ａは、帯板２９ａの内面に縫着等の手段で固定されている。そして、横長縁部材２９において、係合片２９ｂは帯板２９ａの前部に位置しているが、帯板２９ａには、係合片２９ｂの手前に位置した前縁部２９ｄが存在しており、前縁部２９ｄに背受けシート材１６の端縁延長部１６ｂが巻き込まれている。従って、上下の横長縁部材２９は、背受けシート材１６で覆われていて後ろから視認することはできないし、背受けシート材１６の裁断面が露出しないように美麗に処理されている。従って、美観に優れている。
【００４３】
図５（Ａ）（Ｂ）から理解できるように、横長縁部材２９の係合片２９ｂは、アッパメンバー１８及びロアメンバー１９における隣り合った第２リブ２７の間に位置している。従って、嵌合穴３１と係合爪３３も、隣り合った第２リブ２７の間に位置している。
【００４４】
アッパメンバー１８に連結した横長縁部材２９の帯板２９ａは、アッパメンバー１８の内周板１８ｂの後ろに大きくはみ出ている（オーバーハングしている。）。このため、背受けシート材１６にテンションが掛かると、図６（Ｂ）に白抜き矢印で示すように、オーバーハング部２９ｅが上向きに曲がり変形して、背受けシート材１６をアッパメンバー１８に対して滑り移動させることができる。
【００４５】
図７では、横長縁部材２９の係合手段の変形例を示している。これらの例では、係合片２９ｂを帯板２９ａの前後中間部に配置しており、（Ａ）では、係合片２９ｂに係合穴３３を形成している。他方、（Ｂ）では、係合片２９ｂに係合爪３３を形成して、アッパメンバー１８の前面板１８ａに係合穴３３を形成している。
【００４６】
(5).まとめ
各縁部材２８，２９の係合突起２８ａ及び係合片２９ｂは背フレーム１５に内周側から嵌め込むものであるため、背受けシート材１６を押し退ける作業は不要である。また、係合突起２８ｂ及び係合片２９ｂは断続的に並んだ状態で多数形成されているため、１個ずつ背フレーム１５に係合させることが可能であり、位置決めの厄介さはない。これらにより、背フレーム１５への背受けシート材１６の取付けを、容易に行える。
【００４７】
背フレーム１５への背受けシート材１６の取付けの手順は、まず、横長縁部材２９をアッパメンバー１８及びロアメンバー１９に連結し、次いで、縦長縁部材２８をサイドメンバー１７に取付けるのが合理的である。アッパメンバー１８への横長縁部材２９の取付けと、ロアメンバー１９への横長縁部材２９の取付けとは、いずれを先に行ってもよい。
【００４８】
そして、背受けシート材１６を背フレーム１５のサイドメンバー１７に取り付けるに当たって、切り開き部３０への係合突起２８ｂの嵌め込みは、フックを引っ掛ける容量でワンタッチ的に行うことができるため、背受けシート材１６の取付け作業を能率良く行える。また、着座した人の押圧力によって背受けシート材１６にテンションが掛かると、係合片２９ｂを切り開き部３０に対して強く引っ掛けるように作用するため、使用中に係合突起２８ｂが切り開き部３０から外れるようなことはない。係合片２９ｂと係合爪３３との関係も同様である。
【００４９】
本実施形態の椅子は、既述のとおり、背もたれ２は着座した人の押圧力（体圧）によって捩じれ変形するようになっており、このため、特に背フレーム１５のアッパメンバー１８とサイドメンバー１７とに、曲げ力や捩じり力が作用しやすいが、実施形態のように、隣り合った第２リブ２７の間に係合突起２８ｂ及び係合片２９ｂを配置すると、背フレーム１５が捩じれ変形する構成であっても、縁部材２８，２９を、サイドメンバー１７及びアッパメンバー１８にしっかりと連結された状態に保持できる利点がある。
【００５０】
また、上部の横長縁部材２９に、アッパメンバー１８から後ろに張り出したオーバーハング部２９ｅを形成しているため、背受けシート材１６をアッパメンバー１８に対して滑り移動させることができるが、背受けシート材１６とアッパメンバー１８とが相対的に滑り移動することにより、背もたれ２大きくねじれ変形することが許容されている。
【００５１】
本願発明は、図示した実施形態の他にも様々に具体化できる。例えば、背フレームを構成する各メンバーは、後ろ向きに開口したコ字形のようなチャンネル状に形成することが可能である。
【産業上の利用可能性】
【００５２】
本願発明は、椅子の背もたれに具体化できる。従って、産業上利用できる。
【符号の説明】
【００５３】
２  背もたれ
３  バックフレーム
１１  背支柱
１２  アッパサポート
１３  ロアサポート
１５  背フレーム
１６  背受けシート材
１６ａ  端縁
１６ｂ  端縁延長部
１７  サイドメンバー
１８  アッパメンバー
１９  ロアメンバー
１７ａ，１８ａ，１９ａ  前面板
１７ｂ，１８ｂ，１９ｂ  内周板
２８  縦長縁部材
２８  縦長縁部材
２８ｃ  頭部（爪部）
２８ｅ  前縁部
２８ａ  帯板
２８ｂ  係合突起
２９  横長縁部材
２９ａ  帯板
２９ｂ  係合片
３０  切り開き部
３１  嵌合穴
３２  係合穴
３３  係合爪
【図１】
2020058763.tif 000003
【図２】
2020058763.tif 000004
【図３】
2020058763.tif 000005
【図４】
2020058763.tif 000006
【図５】
2020058763.tif 000007
【図６】
2020058763.tif 000008
【図７】
2020058763.tif 000009